【手続補正書】
【提出日】令和3年6月4日(2021.6.4)
【手続補正１】
【補正対象書類名】明細書
【補正対象項目名】０００６
【補正方法】変更
【補正の内容】
【０００６】
そこで、本発明は、モーメンタリタイプのスイッチを備える情報処理装置において、ユーザによるそのスイッチの押下の仕方によって、シャットダウン処理の完了後における、電源オフと起動の切替を行うことができる情報処理装置及びその電源制御方法、並びにプログラムを提供することを目的とする。
【手続補正２】
【補正対象書類名】明細書
【補正対象項目名】０００７
【補正方法】変更
【補正の内容】
【０００７】
本発明の請求項１に係る情報処理装置は、ユーザの操作中はオン状態となり、前記ユーザの非操作中はオフ状態となるモーメンタリタイプのスイッチを備える情報処理装置において、前記スイッチへの前記ユーザの操作に応じて前記情報処理装置のシャットダウン処理を実行する実行手段と、前記情報処理装置を起動する起動手段とを備え、前記起動手段は、前記シャットダウン処理の実行中に前記スイッチがオン状態となったことに基づいて、前記シャットダウン処理が完了するのを待って前記情報処理装置を起動することを特徴とする。
本発明の請求項２に係る情報処理装置は、ユーザの操作中はオン状態となり、前記ユーザの非操作中はオフ状態となるモーメンタリタイプのスイッチを備える情報処理装置において、前記スイッチへの前記ユーザの操作に応じて前記情報処理装置のシャットダウン処理を実行する実行手段と、前記シャットダウン処理の実行中に前記スイッチが前記ユーザにより操作されたとき、所定の信号を発行する発行手段と、前記情報処理装置を起動する起動手段とを備え、前記起動手段は、前記シャットダウン処理のうちの少なくとも一部の処理の完了時に前記所定の信号が発行されている場合、前記シャットダウン処理の完了時に前記所定の信号に基づき前記情報処理装置の起動を行い、前記シャットダウン処理のうちの少なくとも一部の処理の完了時に前記所定の信号が発行されていない場合、前記シャットダウン処理の完了時に前記情報処理装置の起動を行わないことを特徴とする。
【手続補正３】
【補正対象書類名】明細書
【補正対象項目名】０００８
【補正方法】変更
【補正の内容】
【０００８】
本発明によれば、モーメンタリタイプのスイッチを備える情報処理装置において、ユーザによるそのスイッチの押下の仕方によって、シャットダウン処理の完了後における、電源オフと起動の切替を行うことができる。
【手続補正４】
【補正対象書類名】特許請求の範囲
【補正対象項目名】全文
【補正方法】変更
【補正の内容】
【特許請求の範囲】
【請求項１】
ユーザの操作中はオン状態となり、前記ユーザの非操作中はオフ状態となるモーメンタリタイプのスイッチを備える情報処理装置において、
前記スイッチへの前記ユーザの操作に応じて前記情報処理装置のシャットダウン処理を実行する実行手段と、
前記情報処理装置を起動する起動手段とを備え、
前記起動手段は、
前記シャットダウン処理の実行中に前記スイッチがオン状態となったことに基づいて、前記シャットダウン処理が完了するのを待って前記情報処理装置を起動することを特徴とする情報処理装置。
【請求項２】
ユーザの操作中はオン状態となり、前記ユーザの非操作中はオフ状態となるモーメンタリタイプのスイッチを備える情報処理装置において、
前記スイッチへの前記ユーザの操作に応じて前記情報処理装置のシャットダウン処理を実行する実行手段と、
前記シャットダウン処理の実行中に前記スイッチが前記ユーザにより操作されたとき、所定の信号を発行する発行手段と、
前記情報処理装置を起動する起動手段とを備え、
前記起動手段は、
前記シャットダウン処理のうちの少なくとも一部の処理の完了時に前記所定の信号が発行されている場合、前記シャットダウン処理の完了時に前記所定の信号に基づき前記情報処理装置の起動を行い、
前記シャットダウン処理のうちの少なくとも一部の処理の完了時に前記所定の信号が発行されていない場合、前記シャットダウン処理の完了時に前記情報処理装置の起動を行わないことを特徴とする情報処理装置。
【請求項３】
表示手段を更に備え、
前記起動手段は、
前記シャットダウン処理のうちの少なくとも一部の処理の完了時において、前記所定の信号が発行された場合、前記シャットダウン処理の完了後に前記情報処理装置が起動される旨を表示するよう前記表示手段を制御し、前記所定の信号が発行されていない場合、前記シャットダウン処理の完了後に、前記情報処理装置の電源供給が停止される旨を表示するよう前記表示手段を制御することを特徴とする請求項２記載の情報処理装置。
【請求項４】
前記所定の信号は、前記情報処理装置の電源供給状態がオフ状態からオン状態に切り替わったことを示すことを特徴とする請求項２又は３記載の情報処理装置。
【請求項５】
前記情報処理装置の電源供給状態がオフ状態となったときにタイマーカウントを開始するタイマー手段を更に備え、
前記発行手段は、前記シャットダウン処理のうちの少なくとも一部の処理が完了する前に前記タイマー手段のタイマーカウント値が所定値以上となった場合、前記シャットダウン処理の完了時まで前記所定の信号を発行しないことを特徴とする請求項４記載の情報処理装置。
【請求項６】
前記スイッチへの前記ユーザの操作の継続中であって且つタイマーカウント値が所定値未満である間、タイマーカウントを行うタイマー手段を更に備え、
前記スイッチへの前記ユーザの操作の継続中における前記タイマーカウント値が前記所定値以上となった場合、前記情報処理装置の電源供給状態がオフ状態からオン状態に切り替えられ、前記発行手段は、前記シャットダウン処理の完了時までに前記所定の信号を発行することを特徴とする請求項５記載の情報処理装置。
【請求項７】
前記タイマー手段は、前記スイッチへの前記ユーザの操作が解除された際の前記タイマーカウント値が前記所定値未満であった場合、前記タイマーカウント値を０とし、前記スイッチへの前記ユーザの操作の次に行われた第２のユーザ操作の継続中であって且つ前記タイマーカウント値が前記所定値未満である間、再度、タイマーカウントを行い、
前記スイッチへの前記のユーザの操作の継続中における前記タイマーカウント値が前記所定値以上となった場合、前記情報処理装置の電源供給状態がオフ状態からオン状態に切り替えられ、前記発行手段は、前記シャットダウン処理の完了時までに前記所定の信号を発行することを特徴とする請求項６記載の情報処理装置。
【請求項８】
前記スイッチへの前記ユーザの操作がされている時に、第３のユーザ操作がされた場合、前記起動手段は、前記シャットダウン処理の完了後に前記情報処理装置を起動することを特徴とする請求項２乃至７のいずれか１項に記載の情報処理装置。
【請求項９】
サービススイッチを有するユーザインタフェースを更に備え、
前記第３のユーザ操作は、前記サービススイッチの押下であることを特徴とする請求項８記載の情報処理装置。
【請求項１０】
キー部及びタッチパネルを有するユーザインタフェースを更に備え、
前記第３のユーザ操作は、前記キー部及び前記タッチパネルの双方を押下する操作であることを特徴とする請求項８記載の情報処理装置。
【請求項１１】
ユーザの操作中はオン状態となり、前記ユーザの非操作中はオフ状態となるモーメンタリタイプのスイッチを備える情報処理装置の電源制御方法において、
前記スイッチへの前記ユーザの操作に応じて前記情報処理装置のシャットダウン処理を実行する実行ステップと、
前記情報処理装置を起動する起動ステップとを有し、
前記起動ステップは、
前記シャットダウン処理の実行中に前記スイッチがオン状態となったことに基づいて、前記シャットダウン処理が完了するのを待って前記情報処理装置を起動することを特徴とする電源制御方法。
【請求項１２】
ユーザの操作中はオン状態となり、前記ユーザの非操作中はオフ状態となるモーメンタリタイプのスイッチを備える情報処理装置の電源制御方法において、
前記スイッチへの前記ユーザの操作に応じて前記情報処理装置のシャットダウン処理を実行する実行ステップと、
前記シャットダウン処理の実行中に前記スイッチが前記ユーザにより操作されたとき、所定の信号を発行する発行ステップと、
前記情報処理装置を起動する起動ステップとを有し、
前記起動ステップにおいて、
前記シャットダウン処理のうちの少なくとも一部の処理の完了時に前記所定の信号が発行されている場合、前記シャットダウン処理の完了時に前記所定の信号に基づき前記情報処理装置の起動が行われ、
前記シャットダウン処理のうちの少なくとも一部の処理の完了時に前記所定の信号が発行されていない場合、前記シャットダウン処理の完了時に前記情報処理装置の起動は行われないことを特徴とする電源制御方法。
【請求項１３】
請求項１１又は１２に係る電源制御方法を実行することを特徴とするプログラム。